【手続補正書】
【提出日】平成27年2月10日(2015.2.10)
【手続補正１】
【補正対象書類名】特許請求の範囲
【補正対象項目名】全文
【補正方法】変更
【補正の内容】
【特許請求の範囲】
【請求項１】
リードおよびライト可能な第１のメモリを有する第１の記憶部と、
リードおよびライト可能な第２のメモリを有する第２の記憶部と、
前記第１の記憶部と前記第２の記憶部に接続可能な情報処理装置と、
引き継ぎ履歴格納部と、
を備える情報処理システムであって、
前記情報処理装置は、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出す第２の処理と、
前記第２の処理による書き込みに伴って、前記第２の記憶部に書き込まれたデータのアドレスを前記引き継ぎ履歴格納部に記録する第３の処理と、
前記第１の処理により前記第１の記憶部のディスクステータスが保護状態として認識されなかった場合、読み出しは前記引き継ぎ履歴格納部を読み出すこと無く前記第１の記憶部からデータを読み出す第４の処理と、
を実行する制御部
を備えることを特徴とする情報処理システム。 
【請求項２】
前記制御部は、
前記第１の処理では、前記信頼性情報と閾値との比較を行い、この比較に基づいて前記第１の記憶部の寿命到達条件が成立したと判定したときに、前記第１の記憶部のディスクステータスを前記保護状態であると判定することを特徴とする請求項１に記載の情報処理システム。 
【請求項３】
前記制御部は、
前記第１の処理により前記第１の記憶部のディスクステータスが信頼性劣化状態として認識された場合、前記第２の記憶部を前記第１の記憶部に格納されているデータのデータ引き継ぎ先状態として認識し、前記第１の記憶部のディスクステータスを前記保護状態に変更する第４の処理を実行することを特徴とする請求項１に記載の情報処理システム。 
【請求項４】
前記制御部は、
前記第３の処理において、同一アドレスのデータが前記第１および第２の記憶部のうちの一方に存在するように、前記第１および前記第２の記憶部での記憶データのアドレスを管理することを特徴とする請求項１乃至３の何れか一つに記載の情報処理システム。 
【請求項５】
前記制御部は、
前記第１の記憶部のディスクステータスが保護状態として認識された場合、前記第３の処理において、前記第１の記憶部と前記第２の記憶部を同一の論理単位として認識することを特徴とする請求項４に記載の情報処理システム。 
【請求項６】
前記情報処理装置に接続可能であってリードおよびライト可能な第３のメモリを有する１乃至複数の第３の記憶部をさらに備え、
前記制御部は、
前記１乃至複数の第３の記憶部と前記第１の記憶部とがＲＡＩＤを構成するように制御する第５の処理を実行し、
前記第５の処理では、前記第１の記憶部のディスクステータスが保護状態として認識された場合、前記１乃至複数の第３の記憶部と前記論理単位とがＲＡＩＤを構成するように制御することを特徴とする請求項５に記載の情報処理システム。 
【請求項７】
前記制御部は、
前記第１の処理では、前記信頼性情報と閾値との比較を行い、この比較に基づいて前記第１の記憶部の寿命到達条件が成立したと判定したときに、前記第１の記憶部のディスクステータスを前記信頼性劣化状態であると判定することを特徴とする請求項３乃至６の何れか一つに記載の情報処理システム。 
【請求項８】
前記制御部は、
前記第２の処理では、前記第１の記憶部から読み出したデータを前記第２の記憶部に書き込む処理を前記読み出し処理と並行して実行することを特徴とする請求項１乃至７の何れか一つに記載の情報処理システム。 
【請求項９】
前記情報処理システムは、メタデータを格納するメタデータ格納部を有し、
前記制御部は、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記メタデータに記録し、前記第１の処理により前記第１の記憶部のディスクステータスが前記保護状態と判定された場合、前記第２の記憶部に書き込まれたデータのアドレスと前記第２の記憶部の識別情報との紐付けを前記メタデータに記録し、
前記第２の処理では、
読み出し処理において、読み出し対象アドレスと前記第１の記憶部の識別情報との紐付けが前記メタデータに記録されている場合は、前記第１の記憶部からデータを読み出し、読み出し対象アドレスと前記第２の記憶部との紐付けが前記メタデータに記録されている場合は、前記第２の記憶部からデータを読み出すことを特徴とする請求項１乃至８の何れか一つに記載の情報処理システム。 
【請求項１０】
前記制御部は、
前記第１の処理により前記第１の記憶部のディスクステータスが保護状態と判定された場合に、前記第１の記憶部に格納された第１のメタデータを第２のメタデータとして前記第２の記憶部へ格納し、前記第２のメタデータを用いて前記第１および前記第２の記憶部での記憶データのアドレスを管理する第６の処理を実行し、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記第１のメタデータに記録し、
前記第１の処理により前記第１の記憶部のディスクステータスが前記保護状態と判定された場合、前記第２の記憶部に書き込まれたデータのアドレスと前記第２の記憶部の識別情報との紐付けを前記第２のメタデータに記録することを特徴とする請求項１乃至８の何れか一つに記載の情報処理システム。 
【請求項１１】
前記制御部は、
前記メタデータに前記第１の記憶部に紐付けられているデータが存在しない場合に、前記第１の記憶部のディスクステータスを前記保護状態以外の状態であると判定することを特徴とする請求項９または１０に記載の情報処理システム。 
【請求項１２】
前記制御部は、
前記第１の処理により前記第１の記憶部のディスクステータスが保護状態と判定された後に、前記第１の記憶部に格納されたデータの削除処理命令を受信した場合に、前記削除対象データのアドレスと前記第１の記憶部の識別情報との紐付けを無効化するように前記メタデータを変更する第７の処理を実行することを特徴とする請求項９乃至１１の何れか一つに記載の情報処理システム。 
【請求項１３】
前記制御部は、
前記第１の処理により前記第１の記憶部のディスクステータスが保護状態と判定された後に、前記第１の記憶部に格納されたデータの削除処理命令を受信した場合に、前記削除処理命令による削除対象データのアドレスを前記引き継ぎ履歴格納部に記録する第８の処理を実行することを特徴とする請求項１乃至８の何れか一つに記載の情報処理システム。
【請求項１４】
前記制御部は、
前記第１の記憶部に書き込まれているデータのうち前記第２の記憶部へ引き継ぎ対象とするデータを選び、前記引き継ぎ対象のデータに対応するアドレスが全て前記引き継ぎ履歴格納部に格納されている場合に、前記第１の記憶部の保護状態を終了すると判定する第９の処理を実行することを特徴とする請求項１乃至８の何れか一つに記載の情報処理システム。 
【請求項１５】
前記引き継ぎ履歴格納部は前記第２の記憶部に格納されることを特徴とする請求項１３乃至１４の何れか一つに記載の情報処理システム。 
【請求項１６】
前記制御部は、
前記第３の処理では、
前記引き継ぎ履歴格納部に第１のアドレスを記録する場合に、前記第１のアドレスと重複または連続する第２のアドレスがすでに前記引き継ぎ履歴格納部に格納されている場合には、前記第１のアドレスと前記第２のアドレスを合併した第３のアドレスを前記引き継ぎ履歴格納部に記録し、前記第２のアドレスを無効化することを特徴とする請求項１３乃至１５の何れか一つに記載の情報処理システム。 
【請求項１７】
前記制御部は、前記第１の処理により前記第１の記憶部のディスクステータスが保護状態として認識されなかった場合、前記引き継ぎ履歴格納部を消去する第１０の処理を行う請求項１３乃至１６の何れか一つに記載の情報処理システム。
【請求項１８】
前記第１の記憶部と前記情報処理装置と通信を行う中継装置をさらに備え、
前記中継装置は、前記第１の記憶部から取得した信頼性情報に基づき、前記第１の記憶部の状態を判定し、前記第１の記憶部の状態が保護状態であると判定した場合に、前記第１の記憶部が読み出し動作と書き込み動作のうち読み出し動作のみをサポートする記憶部であるという記憶部識別情報を前記情報処理装置へ送信し、
前記制御部は、
前記記憶部識別情報を受信した場合に、前記第１の処理において、前記第１の記憶部の状態を保護状態であると判定することを特徴とする請求項１に記載の情報処理システム。
【請求項１９】
リードおよびライト可能な第１のメモリを有する第１の記憶部と、
リードおよびライト可能な第２のメモリを有する第２の記憶部と、
前記第１の記憶部と前記第２の記憶部に接続可能な情報処理装置と、
引き継ぎ履歴格納部と、
を備える情報処理システムであって、
前記情報処理装置は、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記第１および前記第２の記憶部の少なくとも一方に対し実行する第２の処理と、
前記第２の処理による書き込みに伴って、前記第１および前記第２の記憶部での記憶データのアドレスを更新する第３の処理と、
を実行する制御部と、
を備え、
前記制御部は、
前記第３の処理では、
前記第１の処理により前記第１の記憶部のディスクステータスが保護状態と判定された場合、前記第２の記憶部に書き込まれたデータのアドレスを前記引き継ぎ履歴格納部に記録し、
前記第２の処理では、
読み出し処理において前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出すことを特徴とする情報処理システム。 
【請求項２０】
リードおよびライト可能な第１のメモリを有する第１の記憶部と、リードおよびライト可能な第２のメモリを有する第２の記憶部と、引き継ぎ履歴格納部を接続可能な情報処理装置にロードされる制御プログラムであって、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出す第２の処理と、
前記第２の処理による書き込みに伴って、前記第２の記憶部に書き込まれたデータのアドレスを前記引き継ぎ履歴格納部に記録する第３の処理と、
前記第１の処理により前記第１の記憶部のディスクステータスが保護状態として認識されなかった場合、読み出しは前記引き継ぎ履歴格納部を読み出すこと無く前記第１の記憶部からデータを読み出す第４の処理と、
を前記情報処理装置に実行させるように構成された制御プログラム。 
【請求項２１】
前記第１の処理では、前記信頼性情報と閾値との比較を行い、この比較に基づいて前記第１の記憶部の寿命到達条件が成立したと判定したときに、前記第１の記憶部のディスクステータスを前記保護状態であると判定することを特徴とする請求項２０に記載の制御プログラム。 
【請求項２２】
前記第１の処理により前記第１の記憶部のディスクステータスが信頼性劣化状態として認識された場合、前記第２の記憶部を前記第１の記憶部に格納されているデータのデータ引き継ぎ先状態として認識し、前記第１の記憶部のディスクステータスを前記保護状態に変更する第４の処理を実行することを特徴とする請求項２０に記載の制御プログラム。 
【請求項２３】
前記第３の処理において、同一アドレスのデータが前記第１および第２の記憶部のうちの一方に存在するように、前記第１および前記第２の記憶部での記憶データのアドレスを管理することを特徴とする請求項２０乃至２２の何れか一つに記載の制御プログラム。 
【請求項２４】
前記第１の記憶部のディスクステータスが保護状態として認識された場合、前記第３の処理において、前記第１の記憶部と前記第２の記憶部を同一の論理単位として認識することを特徴とする請求項２３に記載の制御プログラム。 
【請求項２５】
前記情報処理装置は、リードおよびライト可能な第３のメモリを有する１乃至複数の第３の記憶部に接続可能であり、
前記１乃至複数の第３の記憶部と前記第１の記憶部とがＲＡＩＤを構成するように制御する第５の処理を実行し、
前記第５の処理では、前記第１の記憶部のディスクステータスが保護状態として認識された場合、前記１乃至複数の第３の記憶部と前記論理単位とがＲＡＩＤを構成するように制御することを特徴とする請求項２４に記載の制御プログラム。 
【請求項２６】
前記第１の処理では、前記信頼性情報と閾値との比較を行い、この比較に基づいて前記第１の記憶部の寿命到達条件が成立したと判定したときに、前記第１の記憶部のディスクステータスを前記信頼性劣化状態であると判定することを特徴とする請求項２２乃至２５の何れか一つに記載の制御プログラム。 
【請求項２７】
前記第２の処理では、前記第１の記憶部から読み出したデータを前記第２の記憶部に書き込む処理を前記読み出し処理と並行して実行することを特徴とする請求項２０乃至２６の何れか一つに記載の制御プログラム。 
【請求項２８】
前記情報処理装置は、メタデータを格納するメタデータ格納部に接続され、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記メタデータに記録し、前記第１の処理により前記第１の記憶部のディスクステータスが前記保護状態と判定された場合、前記第２の記憶部に書き込まれたデータのアドレスと前記第２の記憶部の識別情報との紐付けを前記メタデータに記録し、
前記第２の処理では、
読み出し処理において、読み出し対象アドレスと前記第１の記憶部の識別情報との紐付けが前記メタデータに記録されている場合は、前記第１の記憶部からデータを読み出し、読み出し対象アドレスと前記第２の記憶部との紐付けが前記メタデータに記録されている場合は、前記第２の記憶部からデータを読み出すことを特徴とする請求項２０乃至２７の何れか一つに記載の制御プログラム。 
【請求項２９】
前記第１の処理により前記第１の記憶部のディスクステータスが保護状態と判定された場合に、前記第１の記憶部に格納された第１のメタデータを第２のメタデータとして前記第２の記憶部へ格納し、前記第２のメタデータを用いて前記第１および前記第２の記憶部での記憶データのアドレスを管理する第６の処理を実行し、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記第１のメタデータに記録し、
前記第１の処理により前記第１の記憶部のディスクステータスが前記保護状態と判定された場合、前記第２の記憶部に書き込まれたデータのアドレスと前記第２の記憶部の識別情報との紐付けを前記第２のメタデータに記録することを特徴とする請求項２０乃至２７の何れか一つに記載の制御プログラム。 
【請求項３０】
前記メタデータに前記第１の記憶部に紐付けられているデータが存在しない場合に、前記第１の記憶部のディスクステータスを前記保護状態以外の状態であると判定することを特徴とする請求項２８または２９に記載の制御プログラム。 
【請求項３１】
前記第１の処理により前記第１の記憶部のディスクステータスが保護状態と判定された後に、前記第１の記憶部に格納されたデータの削除処理命令を受信した場合に、前記削除対象データのアドレスと前記第１の記憶部の識別情報との紐付けを無効化するように前記メタデータを変更する第７の処理を実行することを特徴とする請求項２８乃至３０の何れか一つに記載の制御プログラム。 
【請求項３２】
前記第１の処理により前記第１の記憶部のディスクステータスが保護状態と判定された後に、前記第１の記憶部に格納されたデータの削除処理命令を受信した場合に、前記削除処理命令による削除対象データのアドレスを前記引き継ぎ履歴格納部に記録する第８の処理を実行することを特徴とする請求項２０乃至２７の何れか一つに記載の制御プログラム。 
【請求項３３】
前記第１の記憶部に書き込まれているデータのうち前記第２の記憶部へ引き継ぎ対象とするデータを選び、前記引き継ぎ対象のデータに対応するアドレスが全て前記引き継ぎ履歴格納部に格納されている場合に、前記第１の記憶部の保護状態を終了すると判定する第９の処理を実行することを特徴とする請求項２０乃至２７の何れか一つに記載の制御プログラム。 
【請求項３４】
前記第１の処理により前記第１の記憶部のディスクステータスが保護状態と判定された場合、前記第２の記憶部に前記引き継ぎ履歴格納部を割り当てる第１１の処理を実行することを特徴とする請求項３２乃至３３の何れか一つに記載の制御プログラム。 
【請求項３５】
前記第３の処理では、
前記引き継ぎ履歴格納部に第１のアドレスを記録する場合に、前記第１のアドレスと重複または連続する第２のアドレスがすでに前記引き継ぎ履歴格納部に格納されている場合には、前記第１のアドレスと前記第２のアドレスを合併した第３のアドレスを前記引き継ぎ履歴格納部に記録し、前記第２のアドレスを無効化することを特徴とする請求項３２乃至３４の何れか一つに記載の制御プログラム。 
【請求項３６】
前記第１の処理により前記第１の記憶部のディスクステータスが保護状態として認識されなかった場合、前記引き継ぎ履歴格納部を消去する第１０の処理を行う請求項３２乃至３５の何れか一つに記載の制御プログラム。
【請求項３７】
前記情報処理装置は、中継装置を経由して前記第１の記憶部と接続可能であり、
前記中継装置から、前記第１の記憶部が読み出し動作と書き込み動作のうち読み出し動作のみをサポートする記憶部であるという記憶部識別情報を受信した場合に、前記第１の処理において、前記第１の記憶部の状態を保護状態であると判定することを特徴とする請求項２０に記載の制御プログラム。 
【請求項３８】
リードおよびライト可能な第１のメモリを有する第１の記憶部と、リードおよびライト可能な第２のメモリを有する第２の記憶部と、引き継ぎ履歴格納部とを接続可能な情報処理装置にロードされる制御プログラムであって、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記第１および前記第２の記憶部の少なくとも一方に対し実行する第２の処理と、
前記第２の処理による書き込みに伴って、前記第１および前記第２の記憶部での記憶データのアドレスを更新する第３の処理と、
を前記情報処理装置に実行させるように構成され、
前記第３の処理では、
前記第１の処理により前記第１の記憶部のディスクステータスが保護状態と判定された場合、前記第２の記憶部に書き込まれたデータのアドレスを前記引き継ぎ履歴格納部に記録し、
前記第２の処理では、
読み出し処理において前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出すことを特徴とする制御プログラム。
【請求項３９】
リードおよびライト可能な第１のメモリを有する第１の記憶部と、リードおよびライト可能な第２のメモリを有する第２の記憶部と、引き継ぎ履歴格納部とを接続可能な情報処理装置であって、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出す第２の処理と、
前記第２の処理による書き込みに伴って、前記第２の記憶部に書き込まれたデータのアドレスを前記引き継ぎ履歴格納部に記録する第３の処理と、
前記第１の処理により前記第１の記憶部のディスクステータスが保護状態として認識されなかった場合、読み出しは前記引き継ぎ履歴格納部を読み出すこと無く前記第１の記憶部からデータを読み出す第４の処理と、
を実行する制御部
を備えることを特徴とする情報処理装置。 
【請求項４０】
前記制御部は、
前記第１の処理では、前記信頼性情報と閾値との比較を行い、この比較に基づいて前記第１の記憶部の寿命到達条件が成立したと判定したときに、前記第１の記憶部のディスクステータスを前記保護状態であると判定することを特徴とする請求項３９に記載の情報処理装置。 
【請求項４１】
前記制御部は、
前記第１の処理により前記第１の記憶部のディスクステータスが信頼性劣化状態として認識された場合、前記第２の記憶部を前記第１の記憶部に格納されているデータのデータ引き継ぎ先状態として認識し、前記第１の記憶部のディスクステータスを前記保護状態に変更する第４の処理を実行することを特徴とする請求項３９に記載の情報処理装置。 
【請求項４２】
前記制御部は、
前記第３の処理において、同一アドレスのデータが前記第１および第２の記憶部のうちの一方に存在するように、前記第１および前記第２の記憶部での記憶データのアドレスを管理することを特徴とする請求項３９乃至４１の何れか一つに記載の情報処理装置。 
【請求項４３】
前記制御部は、
前記第１の記憶部のディスクステータスが保護状態として認識された場合、前記第３の処理において、前記第１の記憶部と前記第２の記憶部を同一の論理単位として認識することを特徴とする請求項４２に記載の情報処理装置。 
【請求項４４】
リードおよびライト可能な第３のメモリを有する１乃至複数の第３の記憶部に接続可能であり、
前記制御部は、
前記１乃至複数の第３の記憶部と前記第１の記憶部とがＲＡＩＤを構成するように制御する第５の処理を実行し、
前記第５の処理では、前記第１の記憶部のディスクステータスが保護状態として認識された場合、前記１乃至複数の第３の記憶部と前記論理単位とがＲＡＩＤを構成するように制御することを特徴とする請求項４３に記載の情報処理装置。 
【請求項４５】
前記制御部は、
前記第１の処理では、前記信頼性情報と閾値との比較を行い、この比較に基づいて前記第１の記憶部の寿命到達条件が成立したと判定したときに、前記第１の記憶部のディスクステータスを前記信頼性劣化状態であると判定することを特徴とする請求項４１乃至４４の何れか一つに記載の情報処理装置。 
【請求項４６】
前記制御部は、
前記第２の処理では、前記第１の記憶部から読み出したデータを前記第２の記憶部に書き込む処理を前記読み出し処理と並行して実行することを特徴とする請求項３９乃至４５の何れか一つに記載の情報処理装置。 
【請求項４７】
メタデータを格納するメタデータ格納部に接続され、
前記制御部は、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記メタデータに記録し、前記第１の処理により前記第１の記憶部のディスクステータスが前記保護状態と判定された場合、前記第２の記憶部に書き込まれたデータのアドレスと前記第２の記憶部の識別情報との紐付けを前記メタデータに記録し、
前記第２の処理では、
読み出し処理において、読み出し対象アドレスと前記第１の記憶部の識別情報との紐付けが前記メタデータに記録されている場合は、前記第１の記憶部からデータを読み出し、読み出し対象アドレスと前記第２の記憶部との紐付けが前記メタデータに記録されている場合は、前記第２の記憶部からデータを読み出すことを特徴とする請求項３９乃至４６の何れか一つに記載の情報処理装置。 
【請求項４８】
前記制御部は、
前記第１の処理により前記第１の記憶部のディスクステータスが保護状態と判定された場合に、前記第１の記憶部に格納された第１のメタデータを第２のメタデータとして前記第２の記憶部へ格納し、前記第２のメタデータを用いて前記第１および前記第２の記憶部での記憶データのアドレスを管理する第６の処理を実行し、
前記第３の処理では、
前記第１の処理により前記第１の記憶部のディスクステータスが前記保護状態でないと判定された場合、前記第１の記憶部に書き込まれたデータのアドレスと前記第１の記憶部の識別情報との紐付けを前記第１のメタデータに記録し、
前記第１の処理により前記第１の記憶部のディスクステータスが前記保護状態と判定された場合、前記第２の記憶部に書き込まれたデータのアドレスと前記第２の記憶部の識別情報との紐付けを前記第２のメタデータに記録することを特徴とする請求項３９乃至４６の何れか一つに記載の情報処理装置。 
【請求項４９】
前記制御部は、
前記メタデータに前記第１の記憶部に紐付けられているデータが存在しない場合に、前記第１の記憶部のディスクステータスを前記保護状態以外の状態であると判定することを特徴とする請求項４７または４８に記載の情報処理装置。 
【請求項５０】
前記制御部は、
前記第１の処理により前記第１の記憶部のディスクステータスが保護状態と判定された後に、前記第１の記憶部に格納されたデータの削除処理命令を受信した場合に、前記削除対象データのアドレスと前記第１の記憶部の識別情報との紐付けを無効化するように前記メタデータを変更する第７の処理を実行することを特徴とする請求項４７乃至４９の何れか一つに記載の情報処理装置。 
【請求項５１】
前記制御部は、
前記第１の処理により前記第１の記憶部のディスクステータスが保護状態と判定された後に、前記第１の記憶部に格納されたデータの削除処理命令を受信した場合に、前記削除処理命令による削除対象データのアドレスを前記引き継ぎ履歴格納部に記録する第８の処理を実行することを特徴とする請求項３９乃至４６の何れか一つに記載の情報処理装置。
【請求項５２】
前記制御部は、
前記第１の記憶部に書き込まれているデータのうち前記第２の記憶部へ引き継ぎ対象とするデータを選び、前記引き継ぎ対象のデータに対応するアドレスが全て前記引き継ぎ履歴格納部に格納されている場合に、前記第１の記憶部の保護状態を終了すると判定する第９の処理を実行することを特徴とする請求項３９乃至４６の何れか一つに記載の情報処理装置。 
【請求項５３】
前記引き継ぎ履歴格納部は前記第２の記憶部に格納されることを特徴とする請求項５１乃至５２の何れか一つに記載の情報処理装置。 
【請求項５４】
前記制御部は、
前記第３の処理では、
前記引き継ぎ履歴格納部に第１のアドレスを記録する場合に、前記第１のアドレスと重複または連続する第２のアドレスがすでに前記引き継ぎ履歴格納部に格納されている場合には、前記第１のアドレスと前記第２のアドレスを合併した第３のアドレスを前記引き継ぎ履歴格納部に記録し、前記第２のアドレスを無効化することを特徴とする請求項５１乃至５３の何れか一つに記載の情報処理装置。 
【請求項５５】
前記制御部は、前記第１の処理により前記第１の記憶部のディスクステータスが保護状態として認識されなかった場合、前記引き継ぎ履歴格納部を消去する第１０の処理を行う請求項５１乃至５４の何れか一つに記載の情報処理装置。
【請求項５６】
中継装置を経由して前記第１の記憶部と接続可能であり、
前記制御部は、
前記中継装置から、前記第１の記憶部が読み出し動作と書き込み動作のうち読み出し動作のみをサポートする記憶部であるという記憶部識別情報を受信した場合に、前記第１の処理において、前記第１の記憶部の状態を保護状態であると判定することを特徴とする請求項３９に記載の情報処理装置。
【請求項５７】
リードおよびライト可能な第１のメモリを有する第１の記憶部と、リードおよびライト可能な第２のメモリを有する第２の記憶部と、引き継ぎ履歴格納部と接続可能な情報処理装置であって、
前記第１の記憶部から取得した信頼性情報に基づき、前記第１の記憶部のディスクステータスを判定する第１の処理と、
前記第１の処理により前記第１の記憶部のディスクステータスが保護状態として認識された場合、書き込みは前記第２の記憶部に対し実行し、読み出しは前記第１および前記第２の記憶部の少なくとも一方に対し実行する第２の処理と、
前記第２の処理による書き込みに伴って、前記第１および前記第２の記憶部での記憶データのアドレスを更新する第３の処理と、
を実行する制御部
を備え、
前記制御部は、
前記第３の処理では、
前記第１の処理により前記第１の記憶部のディスクステータスが保護状態と判定された場合、前記第２の記憶部に書き込まれたデータのアドレスを前記引き継ぎ履歴格納部に記録し、
前記第２の処理では、
読み出し処理において前記引き継ぎ履歴格納部に読み出し対象アドレスが記録されている場合は、前記第２の記憶部からデータを読み出し、前記引き継ぎ履歴格納部に読み出し対象アドレスが記録されていない場合は、前記第１の記憶部からデータを読み出すことを特徴とする情報処理装置。